(57)【要約】【課題】        本発明は、家庭や介護施設で介護者が要介護者をベッドから抱き起し、車椅子へ移乗させる肉体的負担、精神的負担を軽減させる介護補助リフトである。該介護補助リフトは一室に固定されるのでなく、該介護者が自由にどの部屋へも移動できる。【解決手段】  介護者が要介護者の上半身をベッドから抱き起す垂直面の回転装置、身体をベッドから浮かせる上昇・下降装置、浮かせた身体を水平面で回転させる回転装置を装備した移動式介護補助を特徴とする。 【選択図】図１
2016077584.tif 000002
【特許請求の範囲】
【請求項１】
図１で介護者が要介護者をベッドから抱き起す垂直面の回転装置D,該ベッドの上方向に移動させる昇降装置E,車椅子へ移乗させる水平面の回転装置Eの該３装置を積載して、自由に移動が可能な介護補助リフト。
【請求項２】
前記要介護者を寝ているベッドから、上半身を起こすアーム４，７を所持した垂直面の回転装置を装備した請求項１に記載の介護補助リフト。
【請求項３】
請求項２のベッドから上半身を起こした該要介護者を、図１の操作ハンドル２２を右回転させる事に依り、該ベッドの上方向へ移動させる請求項１に記載の昇降装置E。
【請求項４】
請求項３の該ベッドより上方向へ移動した該要介護者を、前記介護者が図１の操作ハンドル3で車椅子へ移乗させる、請求項１に記載した水平面の回転装置E。
【発明の詳細な説明】
【技術分野】
【０００１】
本発明は、要介護者を介護する人の負担を軽減するための装置に関するものである。
【背景技術】
【０００２】
介護者が要介護者をベッドから抱き起し、車いすやポータブルトイレへ移動する介護補助リフトで、水平面の回転、垂直面の回転、上昇・下降が可能な装置を装備し、自由に移動できる該介護装置がない。
【先行技術文献】
【特許文献】
【０００３】
【特許文献１】特開２００３−153967号公報
【特許文献２】特開平8-33694号公報
【特許文献３】特開平9-19464号公報
【発明の概要】
【発明が解決しようとする課題】
【０００４】
この発明は、介護者が要介護者をベッドから他所へ移乗、他所よりベッドへ移乗させる介護補助リフト。
【０００５】
一部屋で固定式に使用するのでなく、介護施設に多数入居している要介護者の部屋を自由に移動可能な介護補助リフト。
【課題を解決するための手段】
【０００６】
移動自由な台車に、垂直面方向・水平面方向に回転可能で、上昇・下降可能な介護補助リフト。  下記構成とする。
【０００７】
介護者がベッド上に寝ている要介護者の背中に支持布を差し込み、回転装置のハンドルで垂直面方向に回転させ、該介護者の上半身をベッドより起こす。該回転装置のストッパーで固定。
【０００８】
上記介護者が上記要介護者の身体を、ベッドより上方向へ移動させる上昇・下降移動装置のハンドルを回転させ、身体をベッドより浮かせる。
【０００９】
上記介護者が上記回転装置のハンドルで、水平方向に回転し上記要介護者を車椅子へ移乗。
【発明の効果】
【００１０】
特開平8-33694  入浴介護装置の昇降装置で昇降装置・旋回アームを装備した介護装置は有るが、固定式の為他所へ移動できない。本発明の介護補助リフトは必要とする要介護者の部屋へ移動が可能である。
【００１１】
特開平9-19464  介護リフト用吊り座板は有るが、本発明の支持布はベッドに寝ている要介護者の上半身を、該ベッドより垂直面方向の回転装置で引き起こす構成。
【００１２】
特開2003-153967  介護補助装置およびベッド  では要介護者をベッドより移動させる装置であるが、該装置が該ベッドに固定されている。本発明はベッドに固定せず自由に移動可能な介護補助リフトである。
【図面の簡単な説明】
【００１３】
【図１】介護者Aが要介護者Bをベッドから車椅子へ移乗させる斜視図
【図２】介護者補助装置の断面図
【図３】垂直面方向の回転装置平面図・断面図
【図４】水平面方向回転装置兼上昇・下降用リフト装置断面図
【図５】介護補助装置の操作による要介護者の動作順位図
【符号の説明】
【００１４】
A  介護者                                  図１参照
B  要介護者                              図１参照
C  ベッド                                  図１参照
D  垂直面方向回転装置                図１参照
E  水平面方向回転装置  兼  上昇・下降用リフト装置      図１参照
F 車椅子                                  図１参照
1  吊り布                                  図１参照
2  介護装置台車                        図１参照
3  操作ハンドル                          図１参照
4  アーム（上半身用）                  図１参照
5  吊り輪（上半身用）                  図１参照
6  吊り輪（下半身用）                  図１参照
7  アーム（下半身用）                  図１参照
8  軸受け                                図2参照
9  回転軸（垂直面方向）              図2参照
10  回転板                              図2参照
11  ストッパー                          図2参照
12  位置決めプレート                  図2参照
13  支持プレート                        図2参照
14  鋼管A                              図2参照
15  スラスト軸受                        図2参照
16  鋼管B                              図2参照
17  メネジボス                          図2参照
18  上昇・下降用ネジ                図2参照
19  Vプーリー                          図2参照
20  軸受ユニットフランジ              図2参照
21  駆動軸                              図2参照
22  ハンドル                            図2参照
23  鋼管C                              図2参照
24  軸受                                図2参照
25  保持プレート                        図2参照
26  鋼管継手                          図2参照
27  アングル継手                      図2参照
【発明を実施するための形態】
【００１５】
図１は介護者Aがベッド上に寝ている要介護者Bの上半身を、Dの垂直面方向回転装置のハンドル3を回転させる事によりベッドより起こす。２２ハンドルを回転、Eの上昇・下降用リフト装置で該ベッドより上方向へ移行、Eの水平面方向回転装置で車椅子へ移乗する全体斜視図である。以下、動作順序に従って介護補助リフトの形態を説明する。
【実施例】
【００１６】
図１で介護装置台車2をベッドに接近させた後、車椅子Fを該介護装置台車へ連結する（図４参照）。介護者Aがベッドに寝ている要介護者Bの背中へ吊り布１を差し入れた後、Dの垂直面回転装置アーム4へ上半身側の吊り輪５、下半身側の吊り輪６をアーム７へ挿入。
【００１７】
図３の垂直面回転装置（図１のD）は、軸受け８で支持された回転軸９に回転板１０を固定、回転板１０の水平軸に対し段差を付けたアーム４，７を固定。
【００１８】
図１の操作ハンドル３で介護者Aが、要介護者Bの上半身をベッドから起こし（図５−１参照）、図２の位置決めプレート１２で固定する。
【００１９】
要介護者Bをベッドより浮かせ、水平方向に回転させる手段として図１Eの水平面方向回転装置兼上昇下降用リフト装置に付いて説明。
【００２０】
図２のD垂直面回転装置を支持するプレート１３、鋼管１４、スラスト軸受１５、鋼管１６、メネジボス１７、上昇・下降用ネジ１８、Ｖプーリー１９、軸受ユニットフランジ２０、駆動軸２１、ハンドル２２より形成される上昇下降用リフト装置で、ハンドル２２を介護者Aが回転させる事により、要介護者Bをベッドより上部へ移動させる。    （図５−２参照）
【００２１】
図２の鋼管１４，１6の外径面を鋼管２３の内径面で保持、鋼管２３の外径面を軸受２４内径面で保持、鋼管２３の下部端面を保持プレート２５で保持。
【００２２】
図４の水平面方向回転装置はスラスト軸受１５の上部、鋼管１４、鋼管継手２６、アングル継手２７、プレート１３で構成され、図２のプレート１３で支持した垂直面方向回転装置Dを保持。
【００２３】
図１で介護者Aが操作ハンドル3を車椅子Fのある方向へ水平回転させる。要介護者Bが車椅子Fの上へ移動する。（図5-3参）
【００２４】
図４の鋼管B16,ネジボス１８、Ｖプーリー１９、軸受ユニットフランジ２０、駆動軸２１、ハンドル２２で、構成した上昇・下降用リフト装置を図１の介護者Aがハンドル２２を回転、上昇下降用リフト装置で要介護者Ｂを車椅子Fへ降ろす。（図5-4参照）
【００２５】
車椅子Fへ降ろした要介護者Bを図１の吊り輪５，６をアーム４，７より外し、介護者Aが任意の場所へ移動する。
【図１】
2016077584.tif 000003
【図２】
2016077584.tif 000004
【図３】
2016077584.tif 000005
【図４】
2016077584.tif 000006
【図５】
2016077584.tif 000007
【手続補正書】
【提出日】平成28年1月31日(2016.1.31)
【手続補正１】
【補正対象書類名】特許請求の範囲
【補正対象項目名】請求項１
【補正方法】変更
【補正の内容】
【請求項１】
請求項1の図1を、介護を必要とする施設、家庭内で、介護者Aが要介護者Bをベッドから抱き起す垂直面の回転装置D、該ベッドの上方向に移動させる昇降装置E、車椅子へ移乗させる移乗させる水平面の回転装置Eの該３装置を積載して、自由に移動が可能な介護補助リフト。
【手続補正２】
【補正対象書類名】特許請求の範囲
【補正対象項目名】請求項３
【補正方法】変更
【補正の内容】
【請求項３】
請求項２のベッドから上半身を起こした要介護者Bを、介護者Aが要介護者Bをベッドから車椅子へ移乗させる斜視図の、操作ハンドル２２を右回転させる事に依り、該ベッドの上方向へ移動させる請求項１に記載の昇降装置E。
【手続補正３】
【補正対象書類名】特許請求の範囲
【補正対象項目名】請求項４
【補正方法】変更
【補正の内容】
【請求項４】
請求項3の該ベッドより上方向へ移動した該要介護者Bを、前記介護者Aが、介護者Aが要介護者Bをベッドから車椅子へ移乗させる斜視図の、操作ハンドル３で車椅子へ移動させる、請求項１に記載した水平面の回転装置E。